(57)【要約】【課題】　スケジュール情報を放送の一部として受信するのに加えて、スケジュール情報をコンピュータで受信し、処理すること。【解決手段】　放送情報を受信し、記録する記録装置（３０）、スケジュール情報を受信し、ストアする装置及び前記記録装置に接続されたデータプロセッサ（５）を有し、このデータプロセッサ（５）は、スケジュール情報及び前記記録装置から受信したインデックス入力に基づいて、記録された放送情報の位置及び判別用のインデックスを作成し、ストアする手段を有する。【選択図】　図２
2004112817.tif 000002
【特許請求の範囲】
【請求項１】
　ビデオ記録媒体にテレビジョンプログラムを記録し、インデックスする方法であって、
　複数のテレビジョンプログラムリストをメモリにストアするステップと、各テレビジョンプログラムリストは、少なくとも１つのテレビジョンプログラムに対するタイトル、チャネル、及び開始時間を示すデータを有しており、
　前記複数のテレビジョンプログラムリストの少なくとも１つに相当するテレビジョンプログラムを前記ビデオ記録媒体に記録するステップと、
　前記記録されるテレビジョンプログラムに相当する、メモリからのタイトルを前記ビデオ記録媒体に記録されるプログラムのログにストアするステップと、
を有することを特徴とする方法。
【請求項２】
　ビデオ記録媒体にテレビジョンプログラムを記録し、インデックスする方法であって、
　複数のテレビジョンプログラムリストをメモリにストアするステップと、各テレビジョンプログラムリストは、少なくとも１つのテレビジョンプログラムに対するタイトル、チャネル、及び開始時間を示すデータを有しており、
　前記複数のテレビジョンプログラムリストの少なくとも１つに相当するテレビジョンプログラムを前記ビデオ記録媒体に記録するステップと、
　前記記録されるテレビジョンプログラムに相当する、メモリからのタイトルを前記ビデオ記録媒体に記録されるプログラムのログにストアするステップと、
　位置を示すデータを前記テレビジョンプログラムが記録されている前記ビデオ記録媒体
にストアするステップと、
を有することを特徴とする方法。
【請求項３】
　ビデオ記録媒体にテレビジョンプログラムを記録し、インデックスする方法であって、
　複数のテレビジョンプログラムリストをメモリにストアするステップと、各テレビジョンプログラムリストは、少なくとも１つのテレビジョンプログラムに対するタイトル、チャネル、及び開始時間を示すデータを有しており、
　前記複数のテレビジョンプログラムリストの少なくとも１つに相当するテレビジョンプログラムを前記ビデオ記録媒体に記録するステップと、
　前記ビデオ記録媒体に記録されるプログラムのログにある前記記録されるテレビジョンプログラムに相当する、メモリからのタイトルを前記ビデオ記録媒体から離れたメモリにストアするステップと、
を有することを特徴とする方法。
【請求項４】
　ビデオ記録媒体にテレビジョンプログラムを記録し、インデックスする方法であって、
　複数のテレビジョンプログラムリストをメモリにストアするステップと、各テレビジョンプログラムリストは、少なくとも１つのテレビジョンプログラムに対するタイトル、チャネル、及び開始時間を示すデータを有しており、
　前記複数のテレビジョンプログラムリストの少なくとも１つに相当するテレビジョンプログラムを前記ビデオ記録媒体に記録するステップと、
　前記ビデオ記録媒体に記録されるプログラムのログにある前記記録されるテレビジョンプログラムに相当する、メモリからのタイトルを前記ビデオ記録媒体にストアするステップと、
を有することを特徴とする方法。
【請求項５】
　ビデオ記録媒体にテレビジョンプログラムを記録し、インデックスする方法であって、
　複数のテレビジョンプログラムリストをメモリにストアするステップと、各テレビジョンプログラムリストは、少なくとも１つのテレビジョンプログラムに対するタイトル、チャネル、及び開始時間を示すデータを有しており、
　前記複数のテレビジョンプログラムリストの少なくとも１つに相当するテレビジョンプログラムを前記ビデオ記録媒体に記録するステップと、
　前記記録されるテレビジョンプログラムに相当する、メモリからのタイトルを前記ビデオ記録媒体に記録されるプログラムのログにストアするステップと、
　記録用のメモリにストアされたプログラムリストの１つの、使用者による選択を受信するステップと、
を有することを特徴とする方法。
【請求項６】
　ビデオ記録媒体にテレビジョンプログラムを記録し、インデックスするシステムであって、
　複数のテレビジョンプログラムリストがストアされるリストメモリと、各テレビジョンプログラムリストは、少なくとも１つのテレビジョンプログラムに対するタイトル、チャネル、及び開始時間を示すデータを有しており、
　前記複数のテレビジョンプログラムリストの１つに相当するテレビジョンプログラムをビデオ記録媒体に記録するビデオレコーダと、
　前記記録されるテレビジョンプログラムに相当する、前記リストメモリからタイトルを受信するログと、
を有することを特徴とするシステム。
【請求項７】
　ビデオ記録媒体にテレビジョンプログラムを記録し、インデックスするシステムであって、
　複数のテレビジョンプログラムリストがストアされるリストメモリと、各テレビジョンプログラムリストは、少なくとも１つのテレビジョンプログラムに対するタイトル、チャネル、及び開始時間を示すデータを有しており、
　前記複数のテレビジョンプログラムリストの１つに相当するテレビジョンプログラムをビデオ記録媒体に記録するビデオレコーダと、
　前記記録されるテレビジョンプログラムに相当する、前記リストメモリからタイトルを受信し、前記テレビジョンプログラムが記録される位置を示すデータを前記ビデオレコーダから受信するログと、
を有することを特徴とするシステム。
【請求項８】
　ビデオ記録媒体にテレビジョンプログラムを記録し、インデックスするシステムであって、
　複数のテレビジョンプログラムリストがストアされるリストメモリと、各テレビジョンプログラムリストは、少なくとも１つのテレビジョンプログラムに対するタイトル、チャネル、及び開始時間を示すデータを有しており、
　前記複数のテレビジョンプログラムリストの１つに相当するテレビジョンプログラムをビデオ記録媒体に記録するビデオレコーダと、
　前記記録されたテレビジョンプログラムに相当する、前記リストメモリからタイトルを受信する前記ビデオ記録媒体から離れたメモリにあるログと、
を有することを特徴とするシステム。
を有することを特徴とするシステム。
【請求項９】
　ビデオ記録媒体にテレビジョンプログラムを記録し、インデックスするシステムであって、
　複数のテレビジョンプログラムリストがストアされるリストメモリと、各テレビジョンプログラムリストは、少なくとも１つのテレビジョンプログラムに対するタイトル、チャネル、及び開始時間を示すデータを有しており、
　前記複数のテレビジョンプログラムリストの１つに相当するテレビジョンプログラムをビデオ記録媒体に記録するビデオレコーダと、
　前記記録されたテレビジョンプログラムに相当する、前記リストメモリからタイトルを受信するログと、
　記録用の前記リストメモリにストアされたプログラムリストの少なくとも１つの選択を受信するための入力と、
を有することを特徴とするシステム。
【請求項１０】
　ビデオ記録媒体にテレビジョンプログラムを記録し、インデックスするシステムであって、
　複数のテレビジョンプログラムリストをストアするためのリスト手段と、各テレビジョンプログラムリストは、少なくとも１つのテレビジョンプログラムに対するタイトル、チャネル、及び開始時間を示すデータを有しており、
　前記複数のテレビジョンプログラムリストの１つに相当するテレビジョンプログラムをビデオ記録媒体に記録するためのビデオ記録手段と、
　前記記録されるテレビジョンプログラムに相当する、前記リストメモリからタイトルを有するログをストアするためのディレクトリ手段と、
を有することを特徴とするシステム。
【請求項１１】
　ビデオ記録媒体にテレビジョンプログラムを記録し、インデックスするシステムであって、
　複数のテレビジョンプログラムリストをストアするためのリスト手段と、各テレビジョンプログラムリストは、少なくとも１つのテレビジョンプログラムに対するタイトル、チャネル、及び開始時間を示すデータを有しており、
　前記複数のテレビジョンプログラムリストの１つに相当するテレビジョンプログラムをビデオ記録媒体に記録するためのビデオ記録手段と、
　前記記録されたテレビジョンプログラムに相当する、前記リストメモリからタイトルを含むログをストアし、前記テレビジョンプログラムが記録された位置を示す前記ビデオ記録手段からデータを受信するためのディレクトリ手段と、
を有することを特徴とするシステム。
【請求項１２】
　ビデオ記録媒体にテレビジョンプログラムを記録し、インデックスするシステムであって、
　複数のテレビジョンプログラムリストをストアするためのリスト手段と、各テレビジョンプログラムリストは、少なくとも１つのテレビジョンプログラムに対するタイトル、チャネル、及び開始時間を示すデータを有しており、
　前記複数のテレビジョンプログラムリストの１つに相当するテレビジョンプログラムをビデオ記録媒体に記録するためのビデオ記録手段と、
　前記記録されるテレビジョンプログラムに相当する、前記リスト手段からタイトルを含むログをストアするための、ビデオ記録手段から離れたメモリにあるディレクトリ手段と、
を有することを特徴とするシステム。
【請求項１３】
　ビデオ記録媒体にテレビジョンプログラムを記録し、インデックスするシステムであって、
　複数のテレビジョンプログラムリストをストアするためのリスト手段と、各テレビジョンプログラムリストは、少なくとも１つのテレビジョンプログラムに対するタイトル、チャネル、及び開始時間を示すデータを有しており、
　前記複数のテレビジョンプログラムリストの１つに相当するテレビジョンプログラムをビデオ記録媒体に記録するためのビデオ記録手段と、
　前記記録されるテレビジョンプログラムに相当する、前記リスト手段からタイトルを含むログをストアするための、ビデオ記録媒体にあるディレクトリ手段と、
を有することを特徴とするシステム。
【請求項１４】
　ビデオ記録媒体にテレビジョンプログラムを記録し、インデックスするシステムであって、
　複数のテレビジョンプログラムリストをストアするためのリスト手段と、各テレビジョンプログラムリストは、少なくとも１つのテレビジョンプログラムに対するタイトル、チャネル、及び開始時間を示すデータを有しており、
　前記複数のテレビジョンプログラムリストの１つに相当するテレビジョンプログラムをビデオ記録媒体に記録するためのビデオ記録手段と、
　前記記録されるテレビジョンプログラムに相当する、前記リスト手段からタイトルを含むログをストアするためのディレクトリ手段と、
　記録するための前記リスト手段から前記プログラムリストの少なくとも１つの選択を受信するための入力手段と、
を有することを特徴とするシステム。
【発明の詳細な説明】
【技術分野】
【０００１】
　関連発明に対するクロスレファレンス
　本発明は、本出願人に１９８７年１１月１０日に発行された米国特許第４，７０６，１２１号の「ＴＶスケジュールシステム及び方法」に記載の発明の改良に関する。
　本発明は、一般的にテレビジョン補足データがテレビジョン放送の中に埋込まれ、キューに応じて視聴者がこの補足データをストアできるようにしたシステムおよび方法に関する。このような補足データとしては、時刻、チャネル、プログラム名称、プログラム形式などのスケジュール情報がある。ストアしたデータは、スケジュール情報によって指定された補足テレビジョンプログラムを記録するように、ＶＣＲを自動的にプログラムするのに用いられる。
【背景技術】
【０００２】
　上記の関連特許は、テレビジョンに表示したり、ＶＣＲに記録したりする放送プログラムを、利用者がスケジュール情報に基づいて選択できるようにしたシステム及び方法を記載している。この特許で論述され、かつその出願に記録されている従来技術は、テレビジョンセットあるいはＶＣＲの機能性を向上させるための種々のシステム及びプログラムを示している。
【０００３】
　この技術に関して、同様のシステムおよび方法が多数知られているが、これらのシステムおよび方法の中には放送されている題材に関する補足情報を与える方法について考慮しているものはない。ある種の視聴者にとって特に感心の深い補足情報の一例は、正規の放送時間に広告される製品に関する補足的な情報である。このようなコマーシャル時間は、視聴率の高い主要時間帯、あるいはスポーツ放送時に特に高価なものであり、従ってコマーシャルは一般的に３０秒〜１分間の長さになっている。しかし、多くの広告製品について、視聴者はコマーシャルの中で提供される情報よりももっと多くの情報を、例えば、特徴、価格、および地域的な入手可能性などについて、その製品の購入決定の前に得ることを望んでいる。このような補足情報を、これを必要としている視聴者に対して選択的に提供する能力があれば、これは広告主やテレビジョン情報を提供するその他の人達にとって極めて価値のあるものとなる。
【発明の開示】
【発明が解決しようとする課題】
【０００４】
　従って、本発明の目的は、テレビジョン放送の中の題材に関する補足情報の受信を、視聴者が対話的に選択できるシステムおよび方法を提供することである。
　他の１つの目的は、放送時間の安価な時間帯に記録を行うための補足情報を与える、上記のようなシステムおよび方法を提供することである。
　本発明のさらに他の１つの目的は、視聴者が補足情報をメニューから選択できるようにした同様なシステムおよび方法を提供することである。
　本発明のさらに他の目的は、テープに記録される題材の改良されたインデックスを与えるＶＣＲスケジュールコントローラを提供することである。
【課題を解決するための手段】
【０００５】
　これらの、関連のある目的の達成は、ここに開示したＶＣＲスケジューリング用の新規なシステムおよび方法の使用によって得られる。本発明によるＶＣＲスケジューリング用のシステムおよび方法は、記録装置、放送受信器、およびこの記録装置と放送受信器に接続されたデータプロセッサを備えている。また、このデータプロセッサは、放送中に放送受信器にキューを与える手段を含んでいる。
また、このデータプロセッサには、キューに対する使用者の応答を受信する手段が接続されている。また、キューに対する使用者の応答する手段が、記録装置を制御して補足情報を記録する。
【０００６】
　本発明による、放送の中で補足情報を提供する方法は、放送中に、その放送に関連する補足情報の入手可能に関するキューを与えることを含んでいる。キューに対する応答は使用者から送られる。使用者からの応答を受信すると、補足情報が使用者に送られる。好ましくは、補足情報は後で放送される。補足情報に対するスケジュール情報は、放送と一緒に与えられる。スケジュール情報は、使用者がキューに対して応答したときストアされ、補足情報が放送されたとき、この補足情報を記録装置を用いて記録するのに用いられる。
【０００７】
　この装置を用いると、補足情報が、放送者側にとって有利でかつ便利な時間帯に、選択的に視聴者に送られ、視聴者は迅速かつ便利な方法でこれを再生することができる。補足データを送信する１つの方法は、テレテキスト形式のデータを含むビデオ信号のビデオブランキングインタバル（ＶＢＩ）モグメントを用いることである。テレテキスト受信器ベースの装置が、補足データのデコードに用いられる。
【０００８】
　キューとしては、スクリーン上の字幕、音声信号または音声メッセージ、または装置上の表示器、あるいは視聴者の注意を引くどんなものでもよい。キューは、受信した補足データの内容に基づいて装置によって選択的に発生させることができ、あるいは通常のテレビジョンの画像または音声に含ませることもできる。
【０００９】
　視聴者は、リモートコントローラ上のキューを押したり、装置上のスイッチを操作したり、大きな音声を発したりしてキューに応答でき、あるいはその他どのような方法でも、システムが補足データをストアするように作動させることができる。
【００１０】
　視聴者がキューに応じてデータをストアするのに成功すると、システムは確認通知を行う。これは、別の字幕、音声信号または音声メッセージ、または視聴者に、キューに対する応答が入力されたことを報知するどのような方法でもよい。
これによってシステムは、自動的にＶＣＲを、補足データによって定められたスケジュールのチャネルおよび時刻に同調させる。
【００１１】
　本発明の前述し、かつこれに関連する目的、利点、および特長は、下記に図面を参照して行った本発明の詳細な説明によって、当業者にとってさらに明瞭になるものである。
【発明を実施するための最良の形態】
【００１２】
　図面、特に図１を参照すると、本発明による集積されたＶＣＲスケジュールコントローラのブロック図が示されている。この実施の形態では、コントローラはＶＣＲの中に内蔵されているが、ＶＣＲと別置にすることもでき、例えばＶＣＲに入力を与えＶＣＲのリモート装置を用いることができる。
【００１３】
　放送データはアンテナ１またはケーブル２を介してプログラマブルチューナ３で受信され、その１つの出力がテレテキスト受信器４の入力１４に接続されている。テレテキスト受信器としては、Sears Caption Decoder を用いることができる。テレテキスト受信器４の出力はマイクロプロセッサ５に接続されている。マイクロプロセッサ出力はビデオディスプレイ発生器１０へ接続されており、これがテレビジョン受像器６０用のテキストの作成に用いられる。ビデオスイッチ１５はディスプレイ発生器１０の出力１７をＴＶ受像器６０に接続し、マイクロプロセッサ５からのメッセージを表示させる。
【００１４】
　マイクロプロセッサ５はランダムアクセスメモリ９とシステムクロック／カレンダ６をもっている。マイクロプロセッサ５は、埋込まれたデータの処理が終るとキューを発生し、シンボルまたはメッセージをディスプレイ発生器１０へ送り、ＴＶ受像器６０に表示させる。リモートコントロール受信器２０は、リモートコントローラ２２から、視聴者のキューに応答した入力による指令を受ける。
【００１５】
　リモートコントロール受信器２０は、入力ライン２１に接続されて制御信号を与え、マイクロプロセッサが埋込まれたデータをメモリ９にストアするようにする。これによってマイクロプロセッサは、視聴者の入力を受領した確認としてのメッセージをディスプレイ発生器１０へ送る。
【００１６】
　キューの実行は、マイクロプロセッサ５を用いるほかに、種々な方法が可能である。最も簡単な方法は、放送の音声またはビデオの一部として音声または視覚による刺激を用いることである。この場合、ディスプレイ発生器１０およびディスプレイスイッチ１５は何れも不用である。キューを、放送の音声部またはビデオ部とは別に、例えばＶＢＩ内で設け、これをマイクロプロセッサによって、テレビ受像器６０に与えられる信号の音声部またはビデオ部に追加することは、本発明のシステムがなくても、視聴者にとって面倒なものではない。
【００１７】
　マイクロプロセッサ５はシステムクロック６をモニタし、これを、埋込まれた補足データからストアしたスケジュールと比較する。システムタイムがスケジュールタイムの１つに一致すると、マイクロプロセッサ５がプログラマブルチューナ３をストアされたチャネルにセットし、ライン３２上の制御信号によってＶＣＲへの記録を開始させる。ＶＣＲは、その信号をアンテナ３５またはケーブル３６から受信する。
【００１８】
　図２に示すシステム９０では、スケジュール情報を放送の一部として受信するのに加えて、スケジュール情報をモデム９４を用いてコンピュータ５で受信し、コンピュータ５で処理するようにすることも可能である。この場合は、使用者の選択に基づいて、１つまたは複数のプログラムスケジュールリストがコンピュータメモリにストアされる。放送の所定の時間に、コンピュータ５がＶＣＲ３０を作動させ、選択したプログラムを記録させる。コンピュータ５の直列出力ポート３２はＶＣＲ３０の制御バスに接続され、ＶＣＲをオンにし、チャネル選択の制御を行い、プログラムの記録を可能にする。
【００１９】
　このシステム９０は、テレビジョンガイドステーションリストを、ケーブル利用者のチャネル選択に自動的に変換する特徴をもっている。ＶＣＲ３０を留守中の記録のためにプログラムするたびごとに、ステーションリストをローカルチャネル番号に変換する必要を無くすために、使用者は変換を１回だけ入力すればよいようなメモリが設けられている。入力後は、変換はコンピュータ５で処理される。スクリーン表示される入力テーブルが設けられ、使用者が各ステーションの名称または番号に対応するケーブルチャネル番号を入力するようにリクエストする。あるいは、バーコード読取器を用いてバーコード変換ガイドからステーションの名称または番号と、ケーブル番号とを両方とも読取るようにしてもよい。何れの方法でも、変換データはメモリ内のテーブルにストアされる。留守中のレコーディングでは、ステーションに対応するチャネル番号は、コンピュータ５によって、ＶＣＲ３０上のチャネル選択を制御するのに用いられる。システム９０に局部的にストアされている上記のような変換を用いることによって、ケーブルスケジュール情報は、地域または国内ベースでのケーブルチャネル名（例えばＥＳＰＮ）で供給でき、またそのケーブルサービスに対する適当なローカルチャネル番号の選択はコントローラ９０によって行われる。
【００２０】
　このシステム９０は、プログラムの自動検索に電子式インデックス法を用いている。記録中、プログラムの位置は、ディジタル読出しを有するキャプスタンカウンタで判別される。この、プログラムをどこに記録すべきかを判別するインデックス情報は、プログラムの名称と共にログ内にストアされる。再生時は、ＶＣＲ３０は自動的にインデックス位置に行き、再生を開始する。
【００２１】
　ＶＣＲ３０からのライン１０１は、インデックスデータを含む直列バスである。これは、コンピュータ５の直列入力ポートに接続されている。検索は現在のインデックス値とストアされたインデックス値とを比較することによって行われる。検索は、ＶＣＲ３０からのインデックス値がストアされたインデックス値と一致したとき完了する。
【００２２】
　システム９０はまた、セルフインデックスによるカセットの記録も行う。各カセットテープのスタートに、カセットに記録された各プログラムのスタート位置およびエンド位置に関する完全な記述がプログラム名と共にストアされる。再生中、この情報は、ＶＣＲ３０のテレテキストデコーダで読出されて画面上に表示され、使用者は、何が記述されているかを迅速に判別し、自動的に所望のプログラムにアクセスすることができる。アクセスはログから名称を選択することによって行われる。
【００２３】
　記録中、上述したように、各テープごとに完全なログが作られる。テープをＶＣＲ３０から取出す前に、テープをスタート位置まで巻戻し、ログ情報をテープのＶＢＩ（ビデオブランキングインタバル）トラックに、前記の本出願人に許可された特許に記載された形式のＶＢＩエンコーダ１１０を用いて記録する。ライン１０２は、コンピュータ５からＶＢＩエンコーダ１１０への直列出力であり、ライン１０３は、ＶＣＲ３０のビデオ入力ポートに接続された、ログ情報の埋込まれたビデオ信号である。ログ情報の記録中、ＶＣＲ３０はその信号をアンテナ入力３５からビデオ入力へ受信する。
【００２４】
　再生中は、ＶＢＩテレテキストデコーダ１０８はＶＣＲからのデータを、ＶＣＲ３０のビデオ出力ポートであるライン１０７を介して受信する。デコードが終ると、データはライン１０６を介してコンピュータ５の第２の入力ポートに受信される。上述した以外については、図２に示す本発明の実施例の構成および動作は、図１に示す実施例と同じである。
【００２５】
　本発明のシステムを実施する上でのさらに詳細な事項は、本出願人の上記許可された特許に記載されており、その開示内容はここでも参考として用いられている。
　上記の説明から、前述した本発明の目的を達成できる、新規なＶＣＲのスケジュールシステムおよびプログラムが得られることが、当業者にとって明白になると思われる。このシステムおよび方法によって、視聴者が、放送されている情報に関連するさらに他の情報を対話形式で選択することが可能となり、これはメニュー選択を用いて行うことができる。上記の他の情報は、視聴者による記録のために、安価な、あるいは利用率の低い放送時間帯に放送することができる。
【００２６】
　さらに、本発明の形態および詳細について、上記に説明した以外の種々の変更が可能であることは、当業者にとって明白なことである。従って、そのような変更は、添付した特許請求の精神および範囲に含まれるものである。
【図面の簡単な説明】
【００２７】
【図１】本発明によるＶＣＲスケジューリングシステムのブロック図である。
【図２】本発明によるＶＣＲスケジューリングの他のシステムのブロック図である。
【図１】
2004112817.tif 000003
【図２】
2004112817.tif 000004